(57)【要約】【課題】掃除機の着脱を容易に行うことができる掃除機システムを提供する。【解決手段】掃除機システムは、掃除機１と、掃除機１を支持するための支持装置２と、を備え、掃除機１は、ハンドル１０を有した本体３と、ごみを吸込むための吸込具５と、本体３及び吸込具５を接続する管体４と、を備え、支持装置２は、支持体７、を備え、掃除機１が支持装置２に支持された状態において、吸込具５は、前側が後ろ側よりも支持体７に近い位置に配置される。当該掃除機システムによれば、掃除機１の着脱を容易に行うことができる。【選択図】図１
2019162232.tif 000002
【特許請求の範囲】
【請求項１】
掃除機と、
前記掃除機を支持するための支持装置と、
を備え、
前記掃除機は、ハンドルを有した本体と、
ごみを吸込むための吸込具と、
前記本体及び前記吸込具を接続する管体と、
を備え、
前記支持装置は、
支持体、
を備え、
前記掃除機が前記支持装置に支持された状態において、前記吸込具は、前側が後ろ側よりも前記支持体に近い位置に配置される掃除機システム。
【請求項２】
前記支持体は、鉛直方向に伸び、
前記支持装置は、
前記支持体の下部に接続され、前記支持体を支持する基体と、
前記支持体の上部に支持され、前記本体または前記管体の少なくとも一つを保持する保持体と、
を備えた請求項１に記載の掃除機システム。
【請求項３】
前記基体の質量は、前記支持体と前記保持体とを合わせた質量より大きい請求項２に記載の掃除機システム。
【請求項４】
前記掃除機は、前記支持装置に支持されている状態から後方に移動することで前記支持装置から外れる請求項２または請求項３に記載の掃除機システム。
【請求項５】
前記吸込具は、
吸込口が形成された吸込口体と、
前記吸込口体に対する前記管体の角度を可変にするための回転軸と、
備え、
前記掃除機は、前記支持装置に支持されている状態から前記吸込具の回転軸を中心に後方に回転することで前記支持装置から外れることを特徴とする請求項２から請求項４のいずれか１項に記載の掃除機システム。
【請求項６】
前記基体を支点に後方に傾斜させた状態において、前記支持装置に支持された前記掃除機が前記支持装置から外れる角度は、
前記基体を支点に後方に傾斜させた状態かつ、前記掃除機が前記支持装置に支持された状態において、前記掃除機を支持した前記支持装置が転倒する角度と、
前記基体を支点に後方に傾斜させた状態において、前記掃除機が取り外された状態の前記支持装置が転倒する角度と、
の間である請求項２から請求項５のいずれか１項に記載の掃除機システム。
【請求項７】
前記掃除機が前記支持装置に支持された状態から、後方に前記掃除機が移動することにより、前記掃除機が前記支持装置から外れ、
前記掃除機が前記支持装置から外された状態から、前方に前記掃除機を移動することにより、前記掃除機が前記支持装置に支持され、
前記掃除機を前記支持装置から外すために必要な力は、前記掃除機を前記支持装置に支持させるために必要な力より大きい請求項２から請求項６のいずれか１項に記載の掃除機システム。
【請求項８】
前記掃除機が前記支持装置に支持された状態において、後方に向けて前記本体に作用し、前記掃除機を前記支持装置から外すために必要な力は、後方に向けて前記本体に作用し、前記掃除機が前記支持装置に支持された状態において転倒する際に必要な力より小さい請求項２から請求項７のいずれか１項に記載の掃除機システム。
【請求項９】
前記掃除機が前記支持装置に支持された状態において、後方に向けて前記ハンドルに作用し、前記掃除機を前記支持装置から外すために必要な力は、後方に向けて前記ハンドルに作用し、前記基体を支点に後方に傾斜させた状態、かつ、前記掃除機が前記支持装置に支持された状態において、前記掃除機を支持した前記支持装置が転倒する角度に達するために必要な力より小さい請求項２から請求項７のいずれか１項に記載の掃除機システム。
【請求項１０】
前記本体は、
バッテリ部、
を備え、
前記基体は、
前記バッテリ部の二次電池の充電を制御する制御部と、
難燃材料で形成され、前記制御部を覆う板金部材と、
を備え、
前記支持装置は、前記掃除機より重い請求項８または請求項９に記載の掃除機システム。
【請求項１１】
前記ハンドルは、上端部から後方にわたって形成される請求項１０に記載の掃除機システム。
【請求項１２】
前記本体は、
集塵部、
を備え、
前記本体が前記支持装置に支持された状態において、前記支持装置は、前記集塵部の上端部と同等もしくは上端部よりも上側で前記本体を保持する請求項１０または請求項１１に記載の掃除機システム。
【請求項１３】
前記本体が前記支持装置に支持された状態において、前記支持装置は、前記バッテリ部の下端部より上側で前記本体を保持する請求項１０から請求項１２のいずれか１項に記載の掃除機システム。
【請求項１４】
前記支持装置は、前記支持体の真上で前記本体を保持する請求項８から請求項１３のいずれか１項に記載の掃除機システム。
【請求項１５】
前記支持装置は、前記ハンドルの前部を支持する請求項８から請求項１４のいずれか１項に記載の掃除機システム。
【請求項１６】
前記本体は、前記管体との接続から解放され、前記支持装置に支持された状態において、上面視において、前記本体の重心は、前記支持装置に支持された領域の内側に配置される請求項８から請求項１５のいずれか１項に記載の掃除機システム。
【請求項１７】
前記本体は、前記管体との接続から解放され、前記支持装置に支持された状態において
前記保持体は、前記掃除機の集塵部の底部を支持する請求項８から請求項１６のいずれか１項に記載の掃除機システム。
【請求項１８】
前記吸込具は、丸みを帯びた両端を有した後部を有し、
前記基体は、前記吸込具を支持した際に前記吸込具と一体となって円形状となる請求項８または請求項１７に記載の掃除機システム。
【請求項１９】
前記保持体は、前記管体が前記本体から取り外された状態で前記管体を保持している際に前記本体が特定の方向に移動することで、前記本体が前記支持装置に支持され、かつ前記本体と前記管体が接続される請求項８から請求項１８のいずれか１項に記載の掃除機システム。
【請求項２０】
前記吸込具は、
底部において回転する複数の車輪、
を備え、
前記保持体は、前記管体と前記吸込具とが接続された状態かつ前記複数の車輪の少なくとも１つを浮かせた状態で前記管体を保持する請求項８から請求項１９のいずれか１項に記載の掃除機システム。
【発明の詳細な説明】
【技術分野】
【０００１】
この発明は、掃除機システムに関する。
【背景技術】
【０００２】
特許文献１は、掃除機システムを開示する。当該掃除機システムによれば、掃除機を支持装置で支持することができる。
【先行技術文献】
【特許文献】
【０００３】
【特許文献１】特開２０１４−１２４４４３号公報
【発明の概要】
【発明が解決しようとする課題】
【０００４】
しかしながら、特許文献１に記載の掃除機システムにおいては、掃除時と支持装置への着脱時とにおいて、掃除機の向きが異なる。このため、使用者は、掃除機の着脱を容易に行うことができない。
【０００５】
この発明は、上述の課題を解決するためになされた。この発明の目的は、掃除機の着脱を容易に行うことができる掃除機システムを提供することである。
【課題を解決するための手段】
【０００６】
この発明に係る掃除機システムは、掃除機と、前記掃除機を支持するための支持装置と、を備え、前記掃除機は、ハンドルを有した本体と、ごみを吸込むための吸込具と、前記本体及び前記吸込具を接続する管体と、を備え、前記支持装置は、支持体、を備え、前記掃除機が前記支持装置に支持された状態において、前記吸込具は、前側が後ろ側よりも前記支持体に近い位置に配置される。
【発明の効果】
【０００７】
この発明によれば、掃除機が支持装置に支持された状態において、吸込具は、前側が後ろ側よりも支持体に近い位置に配置される。これにより、掃除機の着脱を容易に行うことができる。このため、使い勝手がよい。
【図面の簡単な説明】
【０００８】
【図１】実施の形態１における掃除機システムの斜視図である。
【図２】実施の形態１における掃除機システムの上面図である。
【図３】実施の形態１における掃除機システムの側面図である。
【図４】実施の形態１における掃除機システムの掃除機の第１使用例を示す斜視図である。
【図５】実施の形態１における掃除機システムの掃除機の第２使用例を示す側面図である。
【図６】実施の形態１における掃除機システムの掃除機の本体の正面図である。
【図７】実施の形態１における掃除機システムの掃除機の本体の側面図である。
【図８】実施の形態１における掃除機システムの掃除機を支持装置に支持させる直前の状態を示す側面図である。
【図９】実施の形態１における掃除機システムの吸込具が特定位置に配置された状態を示す側面図である。
【図１０】実施の形態１における掃除機システムの支持装置に管体と吸込具とが支持された状態の側面図である。
【図１１】実施の形態１における掃除機システムの支持装置に本体と管体とが支持された状態の側面図である。
【図１２】実施の形態１における掃除機システムの支持装置に管体が支持された状態の側面図である。
【図１３】実施の形態１における掃除機システムの支持装置に本体が支持された状態の側面図である。
【図１４】実施の形態１における掃除機システムの支持装置に吸込具が支持された状態の側面図である。
【図１５】実施の形態１における掃除機システムの掃除機の本体と吸込具とが接続された状態の側面図である。
【図１６】実施の形態１における掃除機システムの掃除機の縦断面図である。
【図１７】実施の形態１における掃除機システムの掃除機の縦断面図の要部である。
【図１８】実施の形態１における掃除機システムの掃除機の集塵部の分解斜視図である。
【図１９】実施の形態１における掃除機システムの掃除機の集塵部の上面図である。
【図２０】図１９のＦ−Ｆ線における断面図である。
【図２１】図１９のＧ−Ｇ線における断面図である。
【図２２】実施の形態１における掃除機システムの掃除機の管体の斜視図である。
【図２３】実施の形態１における掃除機システムの掃除機の管体の背面図である。
【図２４】実施の形態１における掃除機システムの掃除機の管体の側面図である。
【図２５】実施の形態１における掃除機システムの掃除機の管体の縦断面図である。
【図２６】図２４のＨ−Ｈ線における断面図である。
【図２７】実施の形態１における掃除機システムの掃除機の正面図である。
【図２８】実施の形態１における掃除機システムの掃除機の上面図である。
【図２９】実施の形態１における掃除機システムの掃除機の側面図である。
【図３０】実施の形態１における掃除機システムの掃除機の吸込具の下面図である。
【図３１】実施の形態１における掃除機システムの掃除機の吸込具の縦断面図である。
【図３２】実施の形態１における掃除機システムの支持装置の斜視図である。
【図３３】実施の形態１における掃除機システムの支持装置の上面図である。
【図３４】実施の形態１における掃除機システムの支持装置の縦断面図である。
【図３５】実施の形態１における掃除機システムの支持装置の縦断面図の要部である。
【図３６】実施の形態１における掃除機システムの縦断面図である。
【図３７】実施の形態１における掃除機システムの縦断面図の要部である。
【図３８】実施の形態１における掃除機システムの支持装置の保持体の斜視図である。
【図３９】実施の形態１における掃除機システムの支持装置の保持体の正面図である。
【図４０】実施の形態１における掃除機システムの支持装置の保持体の縦断面図の要部である。
【図４１】実施の形態１における掃除機システムの支持装置の保持体の要部の斜視図である。
【図４２】実施の形態１における掃除機システムの要部の縦断面図である。
【図４３】図４２のＩ−Ｉ線における断面図の要部である。
【図４４】図４２のＮ−Ｎ線における断面図の要部である。
【図４５】実施の形態２における掃除機システムの掃除機の本体の第１例の側面図である。
【図４６】実施の形態２における掃除機システムの掃除機の本体の第２例の側面図である。
【図４７】実施の形態２における掃除機システムの掃除機の本体の第３例の側面図である。
【図４８】実施の形態３における掃除機システムの側面図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。以下の説明では、塵埃とその他のゴミとは、まとめて単に「塵埃」と呼ばれる。塵埃が混じった空気は、「含塵空気」と呼ばれる。塵埃が取り除かれた空気は、「清浄空気」と呼ばれる。
【００１０】
実施の形態１．
図１は実施の形態１における掃除機システムの斜視図である。図２は実施の形態１における掃除機システムの上面図である。図３は実施の形態１における掃除機システムの側面図である。
【００１１】
図１に示されるように、掃除機システムは、掃除機１と支持装置２とを備える。
【００１２】
掃除機１は、掃除が行われる際に支持装置２から取り外される。掃除機１は、掃除が終了した後に進行方向を維持したまま支持装置２に取り付けられる。この際、掃除機１の前部が支持装置２に保持される。その結果、掃除機１は、後部を意匠面として配置される。掃除機１と掃除機システムとは、外観として左右方向に対称性を有する。
【００１３】
例えば、掃除機１は、本体３と管体４と吸込具５とを備える。
【００１４】
例えば、本体３は、円柱状に形成される。例えば、管体４は、棒状に形成される。管体４は、本体３から下方に伸びる。管体４の上端部は、本体３の後部に対して着脱自在に設けられる。吸込具５の後部かつ幅方向の中間部は、管体４の下端部に対して着脱自在に設けられる。
【００１５】
例えば、支持装置２は、居室の床面に置かれる。例えば、支持装置２は、掃除機１を充電する充電台である。支持体７の一部は、金属部材で形成される。例えば、支持装置２の一部は、鋼板で形成される。支持体７は、掃除機１よりも重い。例えば、支持装置２は、基体６と支持体７と保持体８とを備える。
【００１６】
基体６は、支持装置２の中で最も下方に配置される。例えば、基体６は、居室の壁際の床面に置かれる。例えば、支持体７は、柱状である。例えば、支持体７の下端部は、基体６に固定される。保持体８は、基体６より上方に配置される。例えば、保持体８は、基体６の直上に配置される。保持体８は、支持体７に支持される。保持体８は、支持体７の上端部に固定される。
【００１７】
掃除機１の着脱時に支持装置２が転倒しにくいように、基体６と支持体７と保持体８との重心は、低い位置に設定される。具体的には、基体６は、支持体７よりも重い。基体６は、保持体８よりも重い。基体６は、支持体７と保持体８とを合わせた重さよりも重くてもよい。換言すると、基体６の質量は、支持体７と保持体８とを合わせた質量より大きい。これにより、重心が低くなり、支持装置２および掃除機システムとして倒れにくい。例えば、支持装置２に水平方向に力が加わった場合にも倒れにくい。
【００１８】
掃除機１が支持装置２に取り付けられる際、本体３および管体４の少なくとも一方は、保持体８に保持される。吸込具５は、支持装置２の基体６に支持される。この際、吸込具５の後端は、管体４と本体３より後方側に配置される。本体３の重心は、管体４の内部風路より前方側となる。好ましくは、本体３の重心は、管体４よりも本体３の前方側となる。
【００１９】
掃除機１がスティック型の掃除機として支持装置２から外される場合、図３に示されるように、使用者は、本体３を上方に持ち上げることなく本体３をＡ方向に移動させる。
【００２０】
なお、使用者は、本体３を上方に持ち上げることなく本体３をＢ方向に回転させることもある。本体３は、Ｂ方向に回転した直後はＡ方向に移動する。その結果、管体４は、被清掃面に対して斜めになる。このため、掃除機１は、速やかに清掃形態に移行する。
【００２１】
掃除機１がハンディ型の掃除機として支持装置２から外される場合、使用者は、本体３をＣ方向に移動させる。この際、管体４は、本体３に引っ張られてＣ方向に移動する。このため、本体３がＣ方向に移動しても、管体４は保持体８に保持されたままである。この際、管体４と吸込具５とは、支持装置２から外れない。
【００２２】
なお、管体４が支持装置２に支持されていない場合、掃除機１は、ハンディ型の掃除機１として支持装置２に着脱し得る。例えば、使用者は、支持装置２に対して横方向に移動させることで本体３を着脱する。例えば、使用者は、支持装置２に対して上下方向に移動させることで本体３を着脱する。
【００２３】
また、管体４が支持装置２に支持されている場合、使用者は、管体４の上方から本体３を移動させる。その結果、本体３は、管体４に接続された状態で支持装置２に支持される。
【００２４】
掃除機１が支持装置２に支持されている場合、本体３の一部は、吸込具５の直上に配置される。このため、掃除機１と支持装置２とは、狭いスペースに設置され得る。
【００２５】
次に、図４を用いて、掃除機１の第１使用例を説明する。図４は実施の形態１における掃除機システムの掃除機の第１使用例を示す斜視図である。
【００２６】
図４に示されるように、本体３は、外郭部９とハンドル１０と集塵部１１とを備える。
【００２７】
外郭部９は、掃除機１の意匠面の一部となる。ハンドル１０は、掃除機システムの前後方向を定める。ハンドル１０の上端部は、外郭部９よりも上方に設けられる。集塵部１１は、全体として円筒状に形成される。集塵部１１は、外郭部９の下方に設けられる。
【００２８】
掃除機１がスティック型掃除機として使用される際、使用者は、ハンドル１０の中間部を持つ。例えば、使用者は、管体４の長手方向が斜め方向となるようにして床面を掃除する。この際、管体４は、本体３より下側に配置される。
【００２９】
次に、図５を用いて、掃除機１の第２使用例を説明する。
図５は実施の形態１における掃除機システムの掃除機の第２使用例を示す側面図である。
【００３０】
図５に示されるように、使用者は、図５においては図示されない吸込具５が外された状態で掃除する。例えば、使用者は、管体４の長手方向を斜め方向にして高所を掃除する。この際、掃除機１の先端部には、重量物がない。このため、使用者は、手元の負担を少なくして掃除できる。
【００３１】
次に、図６と図７とを用いて、掃除機１の第３使用例を説明する。
図６は実施の形態１における掃除機システムの掃除機の本体の正面図である。図７は実施の形態１における掃除機システムの掃除機の本体の側面図である。
【００３２】
図６と図７とに示されるように、掃除機１がハンディ型掃除機として使用される際、使用者は、管体４と吸込具５とが外された状態で被清掃面を掃除する。この際、使用者は、ハンドル１０の前端部の側を持つ。
【００３３】
次に、図８と図９とを用いて、掃除機１を支持装置２に支持させる手順を説明する。
図８は実施の形態１における掃除機システムの掃除機を支持装置に支持させる直前の状態を示す側面図である。図９は実施の形態１における掃除機システムの吸込具が特定位置に配置された状態を示す側面図である。
【００３４】
図８に示されるように、使用者は、ハンドル１０を持って吸込具５を前後に動かす。この際、掃除機１は、吸込具５が本体３よりも前方となるように斜めに配置される。
【００３５】
掃除の終了後、使用者は、掃除機１を清掃時の姿勢のままＤ方向に動かして吸込具５に支持装置２の特定位置に配置する。この際、吸込具５は、特殊な動作を行なわない。
【００３６】
図９に示されるように、吸込具５が特定位置に配置した直後において、本体３は、吸込具５よりも後方に配置される。使用者は、吸込具５が特定位置に配置された状態で本体３と管体４とをＥ方向に移動させる。Ｄ方向の動作とＥ方向の動作とは、掃除機１を前方に動かす一連の動作として行われる。Ｅ方向の動作は、使用者がハンドル１０を持った状態で吸込具５の回転軸を中心に弧を描くように移動させる動作である。このため、掃除機１は、持ち上げられることなく支持装置２に支持される。
【００３７】
図示されないが、吸込具５が特定位置に配置されたまま、使用者は、本体３と管体４とが斜め上方に持ち上げる。その後、使用者は、管体４を保持体８に後方から押し付ける。その結果、掃除機１は、保持体８に保持される。
【００３８】
次に、図１０から図１５を用いて、掃除機システムの変形例を説明する。
図１０は実施の形態１における掃除機システムの支持装置に管体と吸込具とが支持された状態の側面図である。図１１は実施の形態１における掃除機システムの支持装置に本体と管体とが支持された状態の側面図である。図１２は実施の形態１における掃除機システムの支持装置に管体が支持された状態の側面図である。図１３は実施の形態１における掃除機システムの支持装置に本体が支持された状態の側面図である。図１４は実施の形態１における掃除機システムの支持装置に吸込具が支持された状態の側面図である。図１５は実施の形態１における掃除機システムの掃除機の本体と吸込具とが接続された状態の側面図である。
【００３９】
図１０に示されるように、管体４と吸込具５とが接続された状態で、管体４は、保持体８に保持される。
【００４０】
図１１に示されるように、本体３と管体４とが接続された状態で、管体４は、保持体８に保持される。
【００４１】
図１２に示されるように、本体３と吸込具５とがない状態で、管体４は、保持体８に保持される。
【００４２】
図１３に示されるように、管体４と吸込具５とがない状態で、本体３は、保持体８に保持される。
【００４３】
図１４に示されるように、本体３と管体４とがない状態で、吸込具５は、基体６に支持される。
【００４４】
図１５に示されるように、本体３と吸込具５とは、直接接続される。吸込具５の端部は、管体４の端部と類似する。このため、本体３と吸込具５とは、機械的かつ電気的に接続される。この状態においては、掃除機１は、吸込具５がついたハンディ型の掃除機として使用される。例えば、掃除機１は、ソファの掃除に使用される。例えば、掃除機１は、机の掃除に使用される。
【００４５】
次に、図１６と図１７とを用いて、外郭部９とハンドル１０とを説明する。
図１６は実施の形態１における掃除機システムの掃除機の縦断面図である。図１７は実施の形態１における掃除機システムの掃除機の縦断面図の要部である。
【００４６】
図１６と図１７とに示されるように、外郭部９は、ケース部１２とバッテリ部１３と接続管部１４と排気部１５とを備える。
【００４７】
ケース部１２は、全体として円筒状に形成される。ケース部１２は、電動送風機１６と制御部１７とを収納する。電動送風機１６は、集塵部１１の上方に設けられる。電動送風機１６は、吸気と排気とを行い得るように設けられる。制御部１７は、電動送風機１６の直上に設けられる。例えば、制御部１７は、電動送風機１６の動作を制御する。
【００４８】
ケース部１２は、凸部１８を備える。凸部１８は、ケース部１２の前部に設けられる。
【００４９】
バッテリ部１３は、ハンドル１０の後端部の下方において外郭部９の後部に収納される。バッテリ部１３は、ケース部１２に隣接する。バッテリ部１３は、複数の二次電池を備える。当該複数の二次電池の電圧は、制御部１７に制御される。
【００５０】
接続管部１４は、集塵部１１に沿って配置される。接続管部１４の前側は、集塵部１１に隣接する。接続管部１４は、バッテリ部１３の延長線上に配置される。接続管部１４は、筒状に形成される。接続管部１４は、管体４に対して着脱自在に設けられる。接続管部１４の下部の内側は、管体４の上部が挿入され得るように設けられる。接続管部１４は、吸込具５に対して着脱自在に設けられる。
【００５１】
接続管部１４は、嵌合部１９を備える。嵌合部１９は、側面視において三角形状に形成される。嵌合部１９は、上方にいくにつれて接続管部１４の外側に突出する。例えば、嵌合部１９の下部は、ほとんど突出しない。例えば、嵌合部１９の下部は、完全に突出しない。例えば、嵌合部１９は、スロープ状に形成される。
【００５２】
排気部１５は、バッテリ部１３の近傍において外郭部９に設けられる。排気部１５は、ハンドル１０の前部かつ下部にも設けられることもある。この場合、排気部１５は、本体３の前方と後方とに設けられることになる。
【００５３】
ハンドル１０は、本体３が図１６と図１７とにおいて図示されない支持装置２に支持された状態で上面視において視認可能に配置されるように設けられる。ハンドル１０は、本体３の前後方向にわたって形成される。例えば、ハンドル１０は、上端部から前方にわたって形成される。例えば、ハンドル１０は、上端部から後方にわたって形成される。例えば、ハンドル１０は、上端部から前後にわたって形成される。例えば、ハンドル１０は、上端部より前方では低い位置に形成される。例えば、ハンドル１０は上端部より後方では低い位置に形成される。例えば、ハンドル１０は、本体３の前後方向の中心から前後に延びるように形成される。
【００５４】
例えば、ハンドル１０は、外郭部９の前端部と後端部とにかけて連続的に形成される。例えば、ハンドル１０の前端部と後端部とは、平行に設けられる。例えば、ハンドル１０の中間部は、ケース部１２の上方においてハンドル１０の前端部と後端部とに対して湾曲して連結される。例えば、ハンドル１０の中間部は、上側に凸となるように形成される。例えば、ハンドル１０の後端部は、管体４の延長線上においてケース部１２の後部よりもケース部１２の後方側に設けられる。例えば、ハンドル１０の前端部は、ケース部１２の前部よりもケース部１２の前方側に設けられる。例えば、ハンドル１０の前端部は、ケース部１２の凸部１８に連結される。
【００５５】
好ましくは、ハンドル１０は、本体３の最上部に配置される。ハンドル１０は、電動送風機１６の上方に配置される。好ましくは、ハンドル１０とケース部１２との間には、側面視において空間２０が形成される。好ましくは、空間２０は、ハンドル１０の上端部の直下に形成される。空間２０は、使用者が上方からハンドル１０を持つ際に使用され、空間に手または指を挿入した状態でハンドル１０を把持してもよい。
【００５６】
ハンドル１０は、操作部２１を備える。操作部２１は、ハンドル１０の前部に設けられる。例えば、操作部２１は、複数の操作スイッチを備える。
【００５７】
図示されないが、本体３は、左側本体側充電端子部Ｌと右側本体側充電端子部Ｒとを備える。例えば、左側本体側充電端子部Ｌと右側本体側充電端子部Ｒとは、接続管部１４の前部に設けられる。例えば、左側本体側充電端子部Ｌと右側本体側充電端子部Ｒとは、集塵部１１よりも下方に設けられる。左側本体側充電端子部Ｌと右側本体側充電端子部Ｒとは、ハンドル１０の下部に設けられることもある。
【００５８】
左側本体側充電端子部Ｌと右側本体側充電端子部Ｒとは、本体側充電端子支持具に覆われる。左側本体側充電端子部Ｌと右側本体側充電端子部Ｒとは、本体側充電端子支持具の端部に固定される。
【００５９】
左側本体側充電端子部Ｌと右側本体側充電端子部Ｒとは、細長い金属板で形成される。左側本体側充電端子部Ｌと右側本体側充電端子部Ｒとは、それぞれ細長い突起を備える。当該突起は、対応する本体側充電端子部の中央に設けられる。
【００６０】
左側本体側充電端子部Ｌと右側本体側充電端子部Ｒとは、互いに離れた位置に配置される。左側本体側充電端子部Ｌと右側本体側充電端子部Ｒとは、左右方向を向く。
【００６１】
使用者は、ハンドル１０を持った手で操作部２１を操作する。制御部１７は、バッテリ部１３からの電力を利用して操作部２１への操作内容に基づいて電動送風機１６の動作を制御する。例えば、制御部１７は、電動送風機１６が停止している状態において操作スイッチの一方が押された際に電動送風機１６を動作させる。例えば、制御部１７は、電動送風機１６が動作している状態において操作スイッチの一方が押された際に電動送風機１６を停止させる。例えば、制御部１７は、電動送風機１６が動作している状態において操作スイッチの他方が押された際に電動送風機１６の回転数を変更する。
【００６２】
電動送風機１６が動作すると、吸引風が発生する。当該吸引風により、含塵空気は、吸込具５から吸い込まれる。その後、当該含塵空気は、管体４の内部を通過する。その後、当該含塵空気は、接続管部１４の内部を通過する。その後、当該含塵空気は、集塵部１１に流入する。この際、当該含塵空気の塵埃は、集塵部１１に収集される。その結果、清浄空気が生成される。当該清浄空気は、集塵部１１から流出する。その後、当該清浄空気は、電動送風機１６を通過する。その後、当該清浄空気は、排気部１５から本体３の外部に排出される。
【００６３】
次に、図１８から図２１を用いて、集塵部１１を説明する。
図１８は実施の形態１における掃除機システムの掃除機の集塵部の分解斜視図である。図１９は実施の形態１における掃除機システムの掃除機の集塵部の上面図である。図２０は図１９のＦ−Ｆ線における断面図である。図２１は図１９のＧ−Ｇ線における断面図である。
【００６４】
図１８に示されるように、集塵部１１は、サイクロン分離装置２２とフィルタ部２３とを備える。
【００６５】
サイクロン分離装置２２は、流入部ケース２４と案内部２５と旋回部２６と排出部２７と集塵容器２８と隔壁部２９とを備える。
【００６６】
流入部ケース２４は、流入口３０を備える。流入口３０は、流入部ケース２４は側壁において開口する。
【００６７】
案内部２５は、流入部ケース２４に収納され得るように設けられる。
【００６８】
旋回部２６は、円錐状に形成される。
【００６９】
集塵容器２８は、円筒状に形成される。集塵容器２８の長手軸は、旋回部２６の長手軸に対して平行となる。集塵容器２８は、底部を備える。集塵容器２８は取り外し得るように設けられる。
【００７０】
隔壁部２９は、旋回部２６の下部に配置される。隔壁部２９は、集塵容器２８を区画する。
【００７１】
排出部２７は、円筒状または円錐状に形成される。排出部２７は、複数の微細孔を備える。排出部２７の長手軸は、集塵容器２８の長手軸と旋回部２６の長手軸とに対して平行となる。
【００７２】
図１９に示されるように、フィルタ部２３は、流入部ケース２４の上部に着脱可能に収容される。フィルタ部２３は、図１９においては図示されない電動送風機１６とサイクロン分離装置２２との間に設けられる。
【００７３】
図２０に示されるように、旋回部２６は、第１開口３１と第２開口３２とを備える。第１開口３１は、旋回部２６の側壁に形成される。第２開口３２は、旋回部２６の底部に形成される。
【００７４】
集塵容器２８は、窪み部３３を備える。窪み部３３は、集塵容器２８の底部に設けられる。図示されないが、窪み部３３は、接続管部１４の凸部１８に接触し得るように設けられる。この際の接触点は、集塵部１１が回転して本体３に接続される際の起点となる。
【００７５】
隔壁部２９の外側は、第１集塵室３４となる。隔壁部２９の内側は、第２集塵室３５となる。
【００７６】
集塵部１１において、含塵空気は、流入口３０から流入する。当該含塵空気は、流入部ケース２４の接線方向または円周方向に流入する。当該含塵空気は、案内部２５を介して旋回部２６に導かれる。当該含塵空気は、旋回部２６で旋回気流となる。
【００７７】
この際、旋回気流中のごみは、遠心力を受ける。例えば、繊維ごみ、毛髪といった比較的嵩の大きなごみαは、遠心力により第１開口３１から第１集塵室３４に送られる。これに対し、砂ごみ、細かい繊維といった比較的嵩の小さなごみβは、第１開口３１から第１集塵室３４に送られずに第２開口３２から第２集塵室３５に落下する。その結果、含塵空気は、清浄空気となる。当該清浄空気は、排出部２７を通過する。その後、当該清浄空気は、フィルタ部２３を通過する。この際、フィルタ部２３は、分離されなかったより微細な塵埃を捕集する。
【００７８】
次に、図２２から図２６を用いて、管体４を説明する。
図２２は実施の形態１における掃除機システムの掃除機の管体の斜視図である。図２３は実施の形態１における掃除機システムの掃除機の管体の背面図である。図２４は実施の形態１における掃除機システムの掃除機の管体の側面図である。図２５は実施の形態１における掃除機システムの掃除機の管体の縦断面図である。図２６は図２４のＨ−Ｈ線における断面図である。
【００７９】
図２２に示されるように、管体４は、パイプ部３６とカバーパイプ３７とラッチ部３８と端子部３９と図示されないリード線とを備える。
【００８０】
パイプ部３６は、管体４の主要部材である。パイプ部３６の上端部は、図２２においては図示されない接続管部１４の内側において接続管部１４に接続される。
【００８１】
パイプ部３６は、パイプ４０と嵌合部４１とを備える。
【００８２】
パイプ４０は、パイプ部３６の主要部である。パイプ４０は、円筒状に形成される。パイプ４０の内側は、風路となる。パイプ４０の内部空間は、長手軸を有する。長手軸は、直線形状である。嵌合部４１は、パイプ部３６の前部かつ下部に配置される。嵌合部４１は、図２２においては図示されない吸込具５と嵌合し得るように設けられる。
【００８３】
カバーパイプ３７は、パイプ部３６の後部に結合される。カバーパイプ３７の外形は、円弧状に形成される。カバーパイプ３７がパイプ部３６に結合された状態において、パイプ部３６とカバーパイプ３７とを合わせた外形は、真直ぐな棒状となる。
【００８４】
ラッチ部３８は、管体４の前部かつ上部に配置される。ラッチ部３８は、パイプ部３６の外側に設けられる。例えば、ラッチ部３８は、カバーを介してパイプ部３６に固定される。例えば、ラッチ部３８は、パイプ部３６に直接固定される。ラッチ部３８の中央部は、パイプ部３６に支持される。ラッチ部３８は、図２２においては図示されない本体３と嵌合し得るように設けられる。具体的には、ラッチ部３８は、接続管部１４の下端部と管体４の上端部との接続を維持し得るように設けられる。ラッチ部３８は、ラッチ４２ａとカバーラッチ４２ｂとを備える。
【００８５】
図２５に示されるように、ラッチ４２ａは、ボタン部４３ａとラッチ先端部４３ｂとバネ４３ｃとを備える。ラッチ４２ａは、シーソーのように変位する。例えば、ラッチ４２ａは、第１位置から第２位置に変位する。例えば、ラッチ４２ａは、第２位置から第１位置に変位する。第１位置は、図２５においては図示されない本体３とパイプ部３６の上端部との接続を維持する位置である。第２位置は、本体３とパイプ部３６の上端部との接続を解放する位置である。
【００８６】
ラッチ４２ａは、ボタン部４３ａがパイプ部３６の端部から離れるようにバネ４３ｃからの力を受ける。このため、ラッチ４２ａにバネ４３ｃからの力以外の外力が作用しなければ、ラッチ４２ａは、第１位置に配置される。
【００８７】
ボタン部４３ａがパイプ部３６に近づくように押されると、ラッチ４２ａは、第１位置から第２位置に変位する。ラッチ先端部４３ｂが本体３の嵌合部に接触すると、ラッチ４２ａは、第１位置から変化する。
【００８８】
カバーラッチ４２ｂは、ラッチ先端部４３ｂを覆う。例えば、カバーラッチ４２ｂは、傾斜する。例えば、カバーラッチ４２ｂは、丸みを帯びた形状である。例えば、カバーラッチ４２ｂの幅は、パイプ部３６から離れるにつれて狭くなる。カバーラッチ４２ｂは、管体４が保持体８に保持される際のガイドとなる。
【００８９】
ラッチ４２ａが第２位置に配置された状態で、管体４と接続管部１４の嵌合部とが離れる方向に移動すると、ラッチ先端部４３ｂは、接続管部１４の嵌合部との嵌合から解放される。ラッチ４２ａが第１位置に配置されると、ラッチ先端部４３ｂは、接続管部１４の嵌合部と嵌合する。この際、接続管部１４の嵌合部の凸部は、パイプ部３６が接続管部１４から抜けることを抑制する。さらに、ラッチ先端部４３ｂが接続管部１４の嵌合部から離れると、ラッチ４２ａは、バネ４３ｃからの力により第１位置に戻る。
【００９０】
管体４が本体３に挿入される際、接続管部１４の嵌合部は、ラッチ先端部４３ｂが接触する。この状態からさらに管体４が本体３の側に移動すると、ラッチ４２ａは、第１位置から変化する。この状態からさらに管体４が本体３の側に移動すると、本体３と管体４とは、接続される。この際、ラッチ４２ａは、第１位置に戻る。このように、本体３と管体４との接続は、ボタン部４３ａの操作を要することなく行われる。
【００９１】
図２６に示されるように、パイプ部３６は、左側凹部４４ａと右側凹部４４ｂとを備える。例えば、左側凹部４４ａと右側凹部４４ｂとは、パイプ４０の前部に設けられる。例えば、左側凹部４４ａと右側凹部４４ｂとは、ラッチ部３８の後方に設けられる。例えば、左側凹部４４ａと右側凹部４４ｂとは、縦長の窪みである。
【００９２】
例えば、左側凹部４４ａは、パイプ部３６の表面のうち左方向を向く表面に形成される。右側凹部４４ｂは、パイプ部３６の表面のうち右方向を向く表面に形成される。これに対し、ラッチ部３８は、パイプ部３６の表面のうち前方向を向く表面に設けられる。管体４を上から見ると、ラッチ部３８は、左側凹部４４ａと右側凹部４４ｂとの間にラッチ部３８が配置される。
【００９３】
左側凹部４４ａと右側凹部４４ｂとは、同等の高さに配置される。例えば、左側凹部４４ａと右側凹部４４ｂとは、ラッチ４２ａとカバーラッチ４２ｂと同等の高さに配置される。左側凹部４４ａの最小幅と右側凹部４４ｂの最小幅とは、カバーラッチ４２ｂの最大幅より小さい。
【００９４】
図２４に示されるように、管体４は、左側第１規制部４５ａと右側第１規制部４５ｂと左側第２規制部４６ａと右側第２規制部４６ｂとを備える。なお、左側第１規制部４５ａと左側第２規制部４６ａとは、図２４の奥側に配置される。このため、図２４において、左側第１規制部４５ａと左側第２規制部４６ａとは、図示されない。
【００９５】
例えば、左側第１規制部４５ａと右側第１規制部４５ｂと左側第２規制部４６ａと右側第２規制部４６ｂとは、パイプ部３６の上端部の近傍に設けられる。例えば、左側第１規制部４５ａと右側第１規制部４５ｂと左側第２規制部４６ａと右側第２規制部４６ｂとは、ラッチ部３８の近傍に設けられる。
【００９６】
左側第１規制部４５ａは、左側凹部４４ａの上端部に配置される。右側第１規制部４５ｂは、右側凹部４４ｂの上端部に配置される。左側第１規制部４５ａと右側第１規制部４５ｂとは、同等の高さに配置される。なお、左側凹部４４ａは、図２４の奥側に配置される。このため、図２４において、左側凹部４４ａは、図示されない。
【００９７】
左側第２規制部４６ａは、左側凹部４４ａの下端部に配置される。右側第２規制部４６ｂは、右側凹部４４ｂの下端部に配置される。左側第２規制部４６ａと右側第２規制部４６ｂとは、同等の高さに配置される。
【００９８】
端子部３９は、管体４の後部かつ上部に配置される。端子部３９は、図２４においては図示されない吸込具５に通電するための中継部品である。端子部３９は、図２４においては図示されないリード線と接続される。端子部３９の一部とリード線とはパイプ部３６とカバーパイプ３７との間に配置される。
【００９９】
次に図２７から図３１を用いて吸込具を説明する。
図２７は実施の形態１における掃除機システムの掃除機の正面図である。図２８は実施の形態１における掃除機システムの掃除機の上面図である。図２９は実施の形態１における掃除機システムの掃除機の側面図である。図３０は実施の形態１における掃除機システムの掃除機の吸込具の下面図である。図３１は実施の形態１における掃除機システムの掃除機の吸込具の縦断面図である。
【０１００】
図２７から図２９に示されるように、吸込具５は、吸込口体４７と連結部４８と備える。
【０１０１】
吸込口体４７は、細長い形状に形成される。吸込口体４７は、平面視において長方形状に形成される。平面視において、吸込口体４７の短手方向は、吸込口体４７における清掃方向である。平面視において、吸込口体４７の長手方向は、吸込口体４７の短手方向に対して垂直な方向である。吸込口体４７の底面の大部分は、被清掃面に平行である。
【０１０２】
連結部４８は、吸込口体４７の長手方向の中間部かつ後部と管体４とを接続する。連結部４８は、吸込口体４７と管体４の角度を可変させ得るように設けられる。
【０１０３】
図３０に示されるように、吸込口体４７は、一対の前車輪４９と一対の後車輪５０と吸込口５１と回転ブラシ５２と図示されない電動機とを備える。
【０１０４】
一対の前車輪４９は、回転し得るように設けられる。一対の前車輪４９の一方は、吸込口体４７の前後方向の中央において吸込口体４７の一側に設けられる。一対の前車輪４９の他方は、吸込口体４７の前後方向の中央において吸込口体４７の他側に設けられる。
【０１０５】
一対の後車輪５０は、回転し得るように設けられる。一対の後車輪５０の一方は、吸込口体４７の後部において吸込口体４７の一側に設けられる。一対の前車輪４９の他方は、吸込口体４７の後部において吸込口体４７の他側に設けられる。
【０１０６】
吸込口５１は、吸込口体４７の底面に形成される。吸込口５１は、下方を向いて開口する。
【０１０７】
回転ブラシ５２は、吸込口５１に配置される。回転ブラシ５２は、回転した際に塵埃を掻き上げ得るように設けられる。
【０１０８】
電動機は、本体３から直接供給された電力または本体３から管体４を介して供給された電力により動作し得るように設けられる。電動機の回転は、ベルト等を介して回転ブラシ５２に伝達される。
【０１０９】
吸込口体４７は、安全スイッチ５３を備える。安全スイッチ５３は、被清掃面を検知し得るように設けられる。安全スイッチ５３は、被清掃面を検知した際に回転ブラシ５２が回転し得るように設定される。例えば、安全スイッチ５３は、ホイール５３ａと図示されない弾性部材とを備える。
【０１１０】
ホイール５３ａは、上下方向に移動し得るように設けられる。ホイール５３ａは、被清掃面に接触すると上方向に移動する。ホイール５３ａは、最上部に移動した際に一対の前車輪４９および一対の後車輪５０よりも上方に配置される。
【０１１１】
例えば、弾性部材は、バネである。弾性部材は、ホイール５３ａが被清掃面から離れた際にホイール５３ａを予め設定した位置に戻す。
【０１１２】
図３１に示されるように、連結部４８は、相互に平行でない複数の回転軸を備える。例えば、図３１に示されるように、連結部４８は、回転軸Ｘを備える。回転軸Ｘは、吸込口体４７に対する管体４の角度を可変にするための回転軸である。回転軸Ｘは、吸込口体４７の長手方向に沿った回転軸である。回転軸Ｘは、清掃方向に垂直な回転軸である。
【０１１３】
例えば、水平方向後方を０°とした場合、連結部４８は、回転軸Ｘを中心として角度αまで回転する。例えば、連結部４８は、０°から９０°の間で回転する。好ましくは、０°から９２°の間で回転する。
【０１１４】
連結部４８は、端子部５４を備える。端子部５４は、連結部４８の後部かつ上部に配置される。端子部５４は、図３１においては図示されない管体４および本体３と通電し得るように設けられる。
【０１１５】
連結部４８は、ラッチ部５５を備える。ラッチ部５５は、連結部４８の前部かつ上部に設けられる。ラッチ部５５は、管体４と嵌合し得るように設けられる。例えば、ラッチ部５５は、ラッチ部３８の真下に配置される。例えば、ラッチ部５５は、ラッチ５６とカバーラッチ５７とを備える。ラッチ５６が押された状態で管体４と連結部４８とが互いに離れる方向に移動すると、管体４と連結部４８との接続が解放される。
【０１１６】
次に図３２から図３７を用いて、基体６と支持体７とを説明する。
図３２は実施の形態１における掃除機システムの支持装置の斜視図である。図３３は実施の形態１における掃除機システムの支持装置の上面図である。図３４は実施の形態１における掃除機システムの支持装置の縦断面図である。図３５は実施の形態１における掃除機システムの支持装置の縦断面図の要部である。図３６は実施の形態１における掃除機システムの縦断面図である。図３７は実施の形態１における掃除機システムの縦断面図の要部である。
【０１１７】
図３２に示されるように、基体６は、底板５８と固定部５９と側壁６０とを備える。
【０１１８】
底板５８は、基体６の底面を形成する。底板５８の上面は、平坦面である。固定部５９は、底板５８の上面に設けられる。固定部５９は、支持体７の下端部を支持する。側壁６０は、底板５８と固定部５９とに連結される。側壁６０は、底板５８のみに連結されることもある。
【０１１９】
図３３に示されるように、側壁６０は、側壁６０ａと側壁６０ｂと側壁６０ｃとを備える。側壁６０ａと側壁６０ｂと側壁６０ｃとは、図３３においては図示されない吸込具５を特定位置に配置するための位置決め部として機能する。特定位置は、掃除機１が支持装置２に支持される際に吸込具５が配置される位置である。
【０１２０】
吸込具５が底板５８の上面において特定位置に配置された場合、側壁６０ａと側壁６０ｂと側壁６０ｃとは、吸込具５に三方から対向するように設けられる。具体的には、側壁６０ａは、特定位置に配置された吸込具５の前面に対向するように設けられる。例えば、側壁６０ａは、吸込具５が後方から向かってくるように設けられる。側壁６０ｂは、特定位置に配置された吸込具５の右側の側面に対向するように設けられる。側壁６０ｃは、特定位置に配置された吸込具５の左側の側面に対向するように設けられる。例えば、吸込具５が進入しやすくなるように、側壁６０ｂと側壁６０ｃとの間の距離は、後方にいくにつれて長くなる。
【０１２１】
図３４に示されるように、基体６は、スロープ部６１を備えることもある。スロープ部６１は、図３４においては図示されない吸込具５を持ち上げることなく特定位置に入れ易くするために設けられる。スロープ部６１の上面は、傾斜面である。スロープ部６１は、底板５８に隣接する。即ち、スロープ部６１の傾斜面は、底板５８の平坦面に隣接する。傾斜面の高さは、底板５８の平坦面から後方にいくにつれて低くなる。
【０１２２】
図３５に示されるように、基体６は、制御部６２と板金部材６３とを備える。
【０１２３】
例えば、制御部６２は、図３５においては図示されないバッテリ部１３の二次電池の充電を制御する機能を備える。例えば、制御部６２は、外部からの交流電力を直流電力に変換する機能を備える。
【０１２４】
板金部材６３は、おもりとしての機能を備える。板金部材６３は、制御部６２の燃焼による燃え広がりを防ぐ機能を備える。板金部材６３は、制御部６２を保護する機能を備える。板金部材６３は、基体６と図３５においては図示されない支持体７とを強固に固定する機能を備える。例えば、板金部材６３は、難燃部材で形成される。例えば、板金部材６３は、炎にさらされる間は燃えるが、炎から離されれば消火して延焼しにくい、自己消火性を有する。例えば、板金部材６３は、１．６ｍｍ以上の厚みの鋼板である。好ましくは、板金部材６３は、２．０ｍｍ以上の厚みの鋼板である。例えば、板金部材６３は、ＳＧＨＣ材の鋼板である。板金部材６３は、制御部６２の少なくとも一部を覆う。例えば、板金部材６３は、制御部１７の上方を覆う。好ましくは、板金部材６３は、制御部１７の全体を覆う。
【０１２５】
図３６と図３７とに示されるように、支持体７は、本体３等の重量物を支持する際に折れないように設けられる。例えば、支持体７の外観の少なくとも一部は、樹脂部材よりも強度がある部材で形成される。例えば、支持体７の外観の少なくとも一部は、金属部材で形成される。当該金属部材は、鉛直方向に延びる。例えば、当該金属部材は、支持体７の下端から上端まで延びる。例えば、当該金属部材は、図３６と図３７とにおいては図示されない板金部材６３に強固に固定される。
【０１２６】
次に、図３８から図４４を用いて、保持体８を説明する。
図３８は実施の形態１における掃除機システムの支持装置の保持体の斜視図である。図３９は実施の形態１における掃除機システムの支持装置の保持体の正面図である。図４０は実施の形態１における掃除機システムの支持装置の保持体の縦断面図の要部である。図４１は実施の形態１における掃除機システムの支持装置の保持体の要部の斜視図である。図４２は実施の形態１における掃除機システムの要部の縦断面図である。図４３は図４２のＩ−Ｉ線における断面図の要部である。図４４は図４２のＮ−Ｎ線における断面図の要部である。
【０１２７】
図３８に示されるように、保持体８は、保持ケース６４と管体保持部６５と本体保持部６６と解除部６７とを備える。
【０１２８】
保持ケース６４は、図３８においては図示されない支持体７の上部に固定される。保持ケース６４の一部は、上方から見て凹形状である。保持ケース６４の凹形状の部分において、空間が存在する。当該空間は、上方と下方とに開口する。当該空間は、上下一直線状に後方に開口する。
【０１２９】
図３９に示されるように、保持ケース６４は、内壁６４ａと内壁６４ｂと内壁６４ｃとを備える。内壁６４ａと内壁６４ｂと内壁６４ｃとは、保持ケース６４の凹形状の一部を形成する。内壁６４ａは、上記凹形状の部分を形成する内壁のうち、内壁６４ｂと内壁６４ｃとの間に配置された奥側の内壁である。
【０１３０】
図示されないが、保持ケース６４は、複数の軸支持部を備える。例えば、複数の軸支持部の各々は、穴である。例えば、複数の軸支持部の各々の一部は、円弧状である。例えば、複数の軸支持部の各々の一部は、切り欠かれる。
【０１３１】
管体保持部６５は、保持ケース６４に支持される。管体保持部６５は、図３９においては図示されない掃除機１を保持する。例えば、管体保持部６５は、掃除機１を両側から挟んで保持する。具体的には、管体保持部６５は、管体４の上端部を両側から挟んで保持する。管体保持部６５は、本体３を両側から挟むこともある。
【０１３２】
本体保持部６６は、保持ケース６４に支持される。本体保持部６６は、管体保持部６５よりも上方に配置される。本体保持部６６は、本体３を保持する。例えば、本体保持部６６は、接続管部１４を保持する。具体的には、本体保持部６６は、接続管部１４を両側から挟んで保持する。本体保持部６６は、本体３の一部を挟んで保持することもある。本体保持部６６は、本体３を充電し得る。
【０１３３】
解除部６７は、保持ケース６４の内壁６４ａから突出する。例えば、解除部６７において、内壁６４ａから離れた上端部と下端部とは、傾斜していてもよい。また、下端部は、内壁６４ａから略垂直に突出していてもよい。換言すると上端部のみ傾斜していてもよい。例えば、解除部６７において、内壁６４ａから離れた上端部と下端部とは、丸みを帯びる。図３９においては図示されないが、解除部６７は、ラッチ部３８のボタン部４３ａよりも上方、または同等の高さに配置される。解除部６７の幅は、ボタン部４３ａの幅より小さい。
【０１３４】
図４１に示されるように、例えば、管体保持部６５は、左側保持部６８ａと右側保持部６８ｂとバネ６９とを備える。
【０１３５】
例えば、左側保持部６８ａと右側保持部６８ｂとは、互いに対向するように配置される。例えば、左側保持部６８ａと右側保持部６８ｂとは、対称に配置される。
【０１３６】
左側保持部６８ａは、左側軸部７０ａを備える。左側軸部７０ａは、左側保持部６８ａの前部に設けられる。左側軸部７０ａは、左側保持部６８ａの上端部と下端部とから突出する。左側軸部７０ａは、図４１においては図示されない保持ケース６４の軸支持部に回転自在に支持される。この際の左側保持部６８ａの回転方向は、掃除機システムの上下方向に対して直交方向である。当該回転方向は、床面に対して水平方向である。
【０１３７】
右側保持部６８ｂは、右側軸部７０ｂを備える。右側軸部７０ｂは、右側保持部６８ｂの前部に設けられる。右側軸部７０ｂは、右側保持部６８ｂの上端部と下端部とから突出する。右側軸部７０ｂは、図４１においては図示されない保持ケース６４の軸支持部に回転自在に支持される。この際の右側保持部６８ｂの回転方向は、掃除機システムの上下方向に対して直交方向である。当該回転方向は、床面に対して水平方向である。
【０１３８】
例えば、バネ６９は、引張りバネである。左側軸部７０ａおよび右側軸部７０ｂよりも後方に配置される。バネ６９は、左側保持部６８ａと右側保持部６８ｂとに接続される。バネ６９は、初張力により左側保持部６８ａと右側保持部６８ｂとを互いの側に引き付ける。バネ６９は、自らの力以外の外力が左側保持部６８ａと右側保持部６８ｂとに作用しない際に左側保持部６８ａと右側保持部６８ｂとを最も接近させる。
【０１３９】
図４１に示されるように、本体保持部６６は、左側保持部７１ａと右側保持部７１ｂとバネ７２と支持装置側充電端子部とを備える。
【０１４０】
左側保持部７１ａは、左側保持部７１ａの一部と右側保持部７１ｂとの一部とは、上面視において三角状に形成される。左側保持部７１ａと右側保持部７１ｂとは、同じ高さに配置される。左側保持部７１ａと右側保持部７１ｂとは、対称に配置される。
【０１４１】
左側保持部７１ａは、左側軸部７３ａを備える。左側軸部７３ａは、左側保持部７１ａの前部に設けられる。左側軸部７３ａは、円筒状である。左側軸部７３ａは、左側保持部７１ａの上端部と下端部とから突出する。左側軸部７３ａは、図４１においては図示されない保持ケース６４の軸支持部に回転自在に支持される。この際の左側保持部７１ａの回転方向は、掃除機システムの上下方向軸に対して直交方向である。当該回転方向は、床面に対して水平方向である。
【０１４２】
右側保持部７１ｂは、右側軸部７３ｂを備える。右側軸部７３ｂは、右側保持部７１ｂの前部に設けられる。右側軸部７３ｂは、円筒状である。右側軸部７３ｂは、右側保持部７１ｂの上端部と下端部とから突出する。右側軸部７３ｂは、図４１においては図示されない保持ケース６４の軸支持部に回転自在に支持される。この際の右側保持部７１ｂの回転方向は、掃除機システムの上下方向軸に対して直交方向である。当該回転方向は、床面に対して水平方向である。
【０１４３】
例えば、バネ７２は、引張りバネである。左側軸部７３ａおよび右側軸部７３ｂよりも後方に配置される。バネ７２は、左側保持部７１ａと右側保持部７１ｂとに接続される。バネ７２は、初張力により左側保持部７１ａと右側保持部７１ｂとを互いの側に引き付ける。バネ７２は、自らの力以外の外力が左側保持部７１ａと右側保持部７１ｂとに作用しない際に左側保持部７１ａと右側保持部７１ｂとを最も接近させる。
【０１４４】
図４１に示されるように、本体保持部６６は、左側支持装置側充電端子部７４ａと右側支持装置側充電端子部７４ｂとを備える。
【０１４５】
左側支持装置側充電端子部７４ａは、左側保持部７１ａの上部に設けられた傾斜部の下方に設けられる。右側支持装置側充電端子部７４ｂは、右側保持部７１ｂの上部に設けられた傾斜部の下方に設けられる。
【０１４６】
左側支持装置側充電端子部７４ａと右側支持装置側充電端子部７４ｂとは、三角状の金属板で形成される。左側支持装置側充電端子部７４ａと右側支持装置側充電端子部７４ｂとは、先細りとなるように形成される。左側支持装置側充電端子部７４ａと右側支持装置側充電端子部７４ｂとは、互いの左右方向の距離が近くなるほど奥行幅が小さくなるように形成される。左側支持装置側充電端子部７４ａと右側支持装置側充電端子部７４ｂとは、同じ高さに配置される。左側支持装置側充電端子部７４ａと右側支持装置側充電端子部７４ｂとは、対称に配置される。
【０１４７】
図４４において、左側保持部６８ａと右側保持部６８ｂとは、先端部を有する。左側保持部６８ａと右側保持部６８ｂとの先端部は、外観に露出する左側保持部６８ａと右側保持部６８ｂとの部分において、最も近い距離に配置されていても良い。また、左側保持部６８ａと右側保持部６８ｂとは、先端部が向かい合うように配置されても良い。左側保持部６８ａと右側保持部６８ｂとは、先端部から後方に向かって傾斜する後方傾斜面を有する。左側保持部６８ａと右側保持部６８ｂとは、先端部より前方に向かって傾斜する前方傾斜面を有する。図４４に示されるように、先端部からの長さは、後方傾斜面の方が前方傾斜面より長く形成される。また、先端部からの角度は、後方傾斜面の方が前方傾斜面より緩やかに傾斜する。換言すると、先端部から、前方および後方に等しく離れた位置において、後方傾斜面の方が前方傾斜面より左側保持部６８ａと右側保持部６８ｂとの間隔が狭い。換言すると、左側保持部６８ａと右側保持部６８ｂとの間隔は、後方傾斜面の方が前方傾斜面より間隔が緩やかに変化する。その結果、管体４は、保持体８に支持されやすく、保持体８から外れにくい。換言すると、管体４を支持装置から外すために必要な力は、管体４を支持装置２に支持させるために必要な力より大きい。換言すると、掃除機１を支持装置２から外すために必要な力は、掃除機１を支持装置２に支持させるために必要な力より大きい。
【０１４８】
図４４において、管体４が左側保持部６８ａと右側保持部６８ｂとに接触する前において、左側保持部６８ａの先端部と右側保持部６８ｂの先端部との間隔は、ラッチ部３８の幅よりも短い。左側保持部６８ａの先端部と右側保持部６８ｂの先端部との間隔は、左側凹部４４ａと右側凹部４４ｂとの距離よりも幅よりも短い。
【０１４９】
ラッチ部３８が左側保持部６８ａと右側保持部６８ｂとに接触した後にラッチ部３８が左側保持部６８ａと右側保持部６８ｂとに押し付けられるように移動すると、左側保持部６８ａと右側保持部６８ｂとは、互いの間隔が広げる方向に変位する。
【０１５０】
ラッチ部３８がさらに左側保持部６８ａと右側保持部６８ｂとに押し付けられるように移動すると、左側保持部６８ａの先端部と右側保持部６８ｂの先端部とは、左側凹部４４ａと右側凹部４４ｂとにそれぞれ収納される。この際、左側保持部６８ａと右側保持部６８ｂとは、互いの間隔が狭まる方向に変位する。その結果、管体４は、左側保持部６８ａと右側保持部６８ｂとに挟まれた状態で保持体８に保持される。
【０１５１】
左側保持部６８ａの先端部と右側保持部６８ｂの先端部とが左側凹部４４ａと右側凹部４４ｂとにそれぞれ収納された状態において、左側保持部６８ａと右側保持部６８ｂとは、バネ６９の力により左側凹部４４ａと右側凹部４４ｂとを押し付ける。使用者による外力等のバネ６９以外の外力が作用しない限り、左側保持部６８ａと右側保持部６８ｂとは、バネ６９の力により左側凹部４４ａと右側凹部４４ｂとを押し付け続ける。その結果、管体４は、保持体８に保持された状態で上下方向を向く。
【０１５２】
パイプ部３６が保持体８から離れる方向に移動すると、左側保持部６８ａと右側保持部６８ｂとは、互いの間隔が広げる方向に変位する。例えば、パイプ部３６が後方に移動すると、左側保持部６８ａと右側保持部６８ｂとは、互いの間隔が広げる方向に変位する。パイプ部３６が左側保持部６８ａと右側保持部６８ｂとから外れると、左側保持部６８ａと右側保持部６８ｂとは、バネ６９の力により最も接近する位置に配置される。
【０１５３】
なお、詳細は図示されないが、管体４が保持体８に保持された状態において、左側第１規制部４５ａの下面は、左側保持部６８ａの上方に配置される。右側第１規制部４５ｂの下面は、右側保持部６８ｂの上方に配置される。左側第２規制部４６ａの上面は、左側保持部６８ａの下方に配置される。右側第２規制部４６ｂの上面は、右側保持部６８ｂの下方に配置される。
【０１５４】
管体４は、左側第１規制部４５ａと右側第１規制部４５ｂとが左側保持部６８ａと右側保持部６８ｂとにそれぞれ接触することで支持される。好ましくは、管体４は、左側第１規制部４５ａと右側第１規制部４５ｂとが左側保持部６８ａの上端部と右側保持部６８ｂの上端部とにそれぞれ接触することで支持される。
【０１５５】
管体４が保持体８に保持された状態において管体４が上方に移動すると、左側第２規制部４６ａと右側第２規制部４６ｂとは、左側保持部６８ａと右側保持部６８ｂとにそれぞれ接触する。好ましくは、左側第２規制部４６ａと右側第２規制部４６ｂとは、左側保持部６８ａの下端部と右側保持部６８ｂの下端部とにそれぞれ接触する。その結果、管体４は、上方への移動を規制される。
【０１５６】
また、吸込具５と管体４との接続の有無に関わらず、左側第１規制部４５ａと右側第１規制部４５ｂとが左側保持部６８ａと右側保持部６８ｂとにそれぞれ支持される。その結果、管体４は、姿勢と位置とを変えずに支持装置２に支持される。この際、吸込具５と管体４とが接続されていれば、吸込具５の後車輪５０は底板５８の上面からわずかに浮く。
【０１５７】
本体３が支持装置２から外された状態において、左側支持装置側充電端子部７４ａと右側支持装置側充電端子部７４ｂとの間隔は、左側本体側充電端子部Ｌと右側本体側充電端子部Ｒとの間隔よりも短い。本体３が支持装置２に近づくと、左側本体側充電端子部Ｌと右側本体側充電端子部Ｒとは、左側支持装置側充電端子部７４ａと右側支持装置側充電端子部７４ｂとにそれぞれ接触する。その後、左側本体側充電端子部Ｌと右側本体側充電端子部Ｒとが左側支持装置側充電端子部７４ａと右側支持装置側充電端子部７４ｂとにそれぞれ押し付けられるように移動すると、左側支持装置側充電端子部７４ａと右側支持装置側充電端子部７４ｂとは、互いの間隔が広がる方向に変位する。この際、左側保持部７１ａと右側保持部７１ｂとは、互いの間隔が広がる方向に変位する。本体３が支持装置２に支持されると、本体保持部６６は、左側本体側充電端子部Ｌと右側本体側充電端子部Ｒとを挟むように保持する。その結果、本体３は、支持装置２に支持された状態で安定する。本体３が支持装置２から外されると、左側支持装置側充電端子部７４ａと右側支持装置側充電端子部７４ｂとは、バネ７２の力により最も接近する位置に配置される。
【０１５８】
なお、左側保持部７１ａの一部と右側保持部７１ｂの一部とは、上面視において三角状となっている。さらに、左側保持部７１ａの上部と右側保持部７１ｂの上部とにおいては、傾斜部が形成されている。このため、左側本体側充電端子部Ｌと右側本体側充電端子部Ｒとは、上方および後方のいずれから左側保持部７１ａと右側保持部７１ｂとにそれぞれ接触しても、左側保持部７１ａと右側保持部７１ｂとの間隔は広がる。また、本体３が上方および後方のいずれの方向に移動しても、本体３は、支持装置２から外れる。
【０１５９】
本体３が支持装置２に支持された状態において、左側本体側充電端子部Ｌと右側本体側充電端子部Ｒとは、左側支持装置側充電端子部７４ａと右側支持装置側充電端子部７４ｂとに接触する。その結果、商用電源等の外部の交流電源に接続された支持装置２から本体３への給電経路がつながる。この際、基体６は、内蔵した電力変換回路により交流電力を直流電力に変換して左側支持装置側充電端子部７４ａと右側支持装置側充電端子部７４ｂとに供給する。左側本体側充電端子部Ｌと右側本体側充電端子部Ｒとは、本体３の内部に配設される図示されないリード線を介してバッテリに直流電力を供給する。
【０１６０】
管体４が上方に移動すると、ボタン部４３ａは、解除部６７に押されながら上方に移動する。その結果、ラッチ４２ａは、第２位置に配置される。この際、ラッチ部３８は、接続管部１４の嵌合部から外れる。
【０１６１】
ラッチ４２ａが第２位置に配置された後、さらに管体４が上方に移動すると、左側第２規制部４６ａと右側第２規制部４６ｂとは、左側保持部６８ａと右側保持部６８ｂとにそれぞれ接触する。その結果、管体４は、上方への移動を規制される。さらに本体３が上方に移動すると、本体３は、管体４から外れる。
【０１６２】
管体４が支持装置２に支持された状態において、本体３を上方から支持装置２に近づけると、ラッチ先端部４３ｂは、接続管部１４の嵌合部に接触する。その後、本体３を上方から支持装置２にさらに近づけると、本体３と管体４とが接続される。さらに、本体３と支持装置２とが接続される。
【０１６３】
なお、管体４と保持体８との着脱時においては、ラッチ部３８に対し、バネ４３ｃからの力以外の外力は作用しない。この際、ラッチ４２ａは、第１位置に配置された状態を維持する。
【０１６４】
また、掃除機システムは、基体６を支点に予め設定された範囲を超えて傾斜すると転倒する。しかしながら、傾斜角度が１０°以内のとき、例えば、１０°以内の傾斜した載置面に支持装置２を載置したとき、換言すると、重力および傾斜面からの以外の外力が働かない状態において、掃除機システムおよび支持装置２単体で転倒せず、かつ、掃除機１が支持装置２に支持された掃除機システムにおいて、掃除機１が支持装置２から外れることはない。また、載置面が後方に傾斜状態、換言すると支持装置２から掃除機１が外れる方向に載置面が傾斜した状態、に対して、掃除機システムまたは支持装置２の転倒角度、および掃除機１が支持装置２から外れるリリース角度の値は予め設定されている。掃除機１の重心は、支持装置２の重心より高い位置に配置される。このため、掃除機１が支持装置２に支持された状態での転倒角度は、支持装置２の転倒角度より小さい。また、リリース角度は、掃除機システムの転倒角度と支持装置２の転倒角度の間に設定される。
【０１６５】
また、掃除機１が支持装置２に支持された状態において、後方に向けて徐々に力を加えると、転倒する。しかし、掃除機１が支持装置２に支持された状態において、後方に向けて、掃除機１に徐々に力を加えた際に、掃除機１が支持装置２に支持された状態で倒れるより早く、掃除機１が支持装置２から外れるようリリース力は設定される。換言すると、掃除機１が支持装置２に支持された状態において、後方に向けて本体３に力を加えた際に、掃除機１を支持装置２から外すために必要な力は、後方に向けて本体３に力を加えた際に、掃除機１が支持装置２に支持された状態で転倒する際に必要な力より小さい。なお、力を加える場所は、例えばハンドル１０である。また、掃除機１が支持装置２に支持された状態で転倒する際に必要な力とは、水平面に載置され、掃除機１が支持装置２に支持された状態で後方に力を加えた際に、基体６、例えば基体６の後端部を支点に傾斜させた状態で、転倒し得る転倒角度に達するために必要な力である。
【０１６６】
以上で説明した実施の形態１によれば、ハンドル１０は、ケース部１２の後端部から前端部にかけて連続的に形成される。例えば、ハンドル１０の後端部と前端部とは平行である。例えば、ハンドル１０の中間部は、ハンドル１０の後端部と前端部とに対して湾曲して連結される。このため、掃除が行われる場面に応じて、適切な握り箇所を確保することができる。その結果、使用者は、掃除が行われる場面に応じて握りやすい個所を握ることができる。
【０１６７】
また、吸込具５が支持装置２に支持された状態において、本体３と管体４と吸込具５との前部は、支持装置２に対向する。例えば、掃除機１の前部は、掃除機１の後部よりも支持体７または支持体７の仮想延長線上に近い位置に配置される。例えば、管体４の前部は、管体４の後部よりも支持体７に近い位置に配置される。例えば、吸込具５の前部または上部は後部または下部よりも支持体７に近い位置に配置される。
【０１６８】
また、本体３と管体４と吸込具５とは、一体として接続された状態で支持装置２に支持される。すなわち、掃除機システムとしての高さは高くなる。例えば、支持装置２の上面視における最大長さの寸法より掃除機システムの最大高さの寸法は大きい。
【０１６９】
また、支持装置２は、本体３の二次電池を充電する。支持装置２は、交流電源を必要とする。例えば、支持装置２の電源コードは、壁際のコンセントに接続される。このため、支持装置２は、壁際に設置されたほうがよい。支持装置２が壁際に設置された場合、使用者が不用意に支持装置２に接触することを抑制できる。支持装置２が倒れる向きを制限できる。電源コードに使用者の足を引っかかることを抑制できる。
【０１７０】
また、掃除機１が支持装置２に支持された状態においては、掃除機１の後方に使用者は立つ。この際、支持装置２の前方は、壁際を向く。掃除機１の後部は、使用者に向く。この状態において、使用者は、掃除機１を支持装置２から取り外す。例えば、床掃除、机掃除等の高い位置以外の場所を掃除する場合、使用者は、本体３の後部を使用者側に向けた状態で掃除機１を傾けて使用する。支持装置２と掃除機１の着脱時と清掃時はいずれにおいても掃除機１の後部が使用者に向く。このため、掃除機１と支持装置２との着脱時と清掃時とにおいて掃除機１の向きを変える必要がなく、掃除機１の使い勝手をよくすることができる。
【０１７１】
また、ハンドル１０は、前後方向に延びる。使用者は、掃除機１と支持装置２の着脱時にハンドル１０を掴む。この際のハンドル１０を握る向きは、清掃中のハンドル１０を握る向きと同じである。このため、掃除機１と支持装置２との着脱時と清掃時とにおいてハンドル１０を持ち替える必要がなく、掃除機１の使い勝手をよくすることができる。特に、ハンドル１０を握る手と反対側の手で、本体３を支持する必要がない。第２のハンドル等を必要としない。
【０１７２】
また、ハンドル１０を上端部から前方にわたって形成してもよい。この際、掃除機１が支持装置２に支持された状態において、ハンドル１０の前方は、上端部より低い位置に配置される。このため、使用者は、ハンドル１０を持って容易に掃除することができる。例えば、使用者は、ハンドル１０の上端部を持って掃除機１と支持装置２とを容易に着脱することができる。この際、ハンドル１０の持つ位置を変える必要はない。ただし、掃除機１の形体または掃除機１の使用場所に応じてハンドル１０の持つ位置は変更してもよい。このため、掃除機１の使い勝手をよくすることができる。特に、ハンドル１０を握る手と反対側の手で、本体３を支持する必要がない。第２のハンドル等を必要としない。
【０１７３】
また、ハンドル１０を上端部から後方にわたって形成してもよい。掃除機１が支持装置２に支持された状態において、ハンドル１０の前方は、上端部より低い位置に配置される。このため、使用者は、ハンドル１０を持って容易に掃除することができる。例えば、作業者は、ハンドル１０の後方を持って、肘と肩と手首とに負担なく、掃除機１を支持装置２から着脱できる。例えば、使用者は、ハンドル１０の上端部を持って支持装置２と掃除機１の着脱を行い、ハンドル１０の持つ位置を変えずに清掃することができる。ただし、掃除機１の形体または掃除機１の使用場所に応じてハンドル１０の持つ位置は変更してもよい。例えば、掃除機１と支持装置２との着脱時にハンドル１０の後方よりを持ち、清掃時にハンドル１０の少し前方に持つ位置をずらしてもよい。このため、掃除機１の使い勝手をよくすることができる。特に、ハンドル１０を握る手と反対側の手で、本体３を支持する必要がない。第２のハンドル等を必要としない。
【０１７４】
また、支持装置２において、支持体７、板金等の重量物は、支持装置２の中心よりも一側に配置される。例えば、支持体７、板金等の重量物は、支持装置２の中心よりも前方に配置される。このため、支持装置２の重心は、支持装置２の中心よりも前方に配置される。管体４は、支持装置２の中心よりも支持装置２の他端側に配置される。例えば、管体４は、支持装置２の中心よりも支持装置２の後方に配置される。このため、管体４は、掃除機１が支持装置２に支持された状態で支持体７との間に前後方向の空間をあけて配置される。その結果、側面視において、掃除機システムの奥側を視認しやすくなる。例えば、人を視認しやすくなる。例えば、幼児等背が低い対象を視認しやすくなる。このため、掃除機システム周辺の安全性を確保することができる。
【０１７５】
また、本体３は、吸込具５の上方に配置される。本体３の中心は、管体４の中心よりも前方に配置される。このため、本体３の重心は、管体４の中心と同等もしくは管体４よりも前方に配置される。この際、本体３と管体４との重心または掃除機１の重心は、管体４の中心と同等または管体４の中心よりも前方に配置される。好ましくは、本体３の中心は、管体４よりも前方に配置される。掃除機１の重心は管体４の中心よりも前方に配置される。支持装置２の重心は、支持装置２の中心よりも前方に配置される。掃除機１が支持装置２に支持された状態において、掃除機１の重心は、支持装置２の中心よりも後方に配置される。この際、掃除機１の重心と支持装置２の重心とは、支持装置２の中心に対して、互いに反対側に配置される。このため、掃除機１と支持装置２との重心は、前後方向の一側に偏らないこのため、掃除機１と支持体７との転倒を抑制できる。さらに、掃除機１が支持装置２から後方に取り外される際に支持装置２が転倒することを抑制できる。
【０１７６】
また、掃除機１が支持装置２に支持された状態において、本体３の重心は、吸込口体４７の回転軸Ｘよりも前方にある。支持体７は、掃除機システムの中心よりも前方に配置される。支持体７と保持体８とを合わせた重心は、掃除機システムの中心よりも前方に配置される。本体３は、掃除機システムの中心より後方において掃除機システムの中心に近い位置に配置される。この場合、本体３と管体４と保持体８とを合わせた重心は、管体４と保持体８を合わせた重心よりも掃除機システムの中心に近い。このため、掃除機システムの重心が前後方向の一側に偏ることを抑制できる。その結果、掃除機システムの転倒を抑制できる。掃除機１が支持装置２に支持されることで掃除機システムの重心がより高い位置に配置されても、支持装置２の重心より、掃除機システムの重心の方が中心により近い位置に配置される。このため、掃除機システムの転倒の抑制を維持できる。
【０１７７】
また、板金部材６３は、難燃材料で形成される。板金部材６３は、制御部６２を覆う。支持装置２は、掃除機１より重い。このため、制御部６２に異常が発生しても周辺の樹脂部品等への燃え広がりを抑制できる。掃除機１と支持装置２との着脱時に支持装置２の転倒を抑制できる。その結果、掃除機システムの安全性を高めることができる。
【０１７８】
また、吸込具５の後部の両端は、丸みを帯びた形状である。底板５８は、円形状である。基体６は、上面視において円形状である。基体６の側面は、円弧状である。掃除機１が支持装置２に支持された状態において、吸込具５と基体６とを合わせた側面は円形状である。掃除機システムにおいて、吸込具５および基体６よりも上部は、上面視において底板５８より内側に配置される。この際、上面視において、掃除機システムの外観は、円形状である。このため、全ての方向に対して掃除機システムの転倒を抑制できる。掃除機システムの角部をなくすことで、人の足のひっかかりを抑制でき、掃除機システムを居住空間に設置しやすくすることができる。さらに、本体３と管体４と支持体７と保持体８と基体６よりも内側に配置させることで、人が誤って支持装置２に触れることを抑制でき、掃除機システムの安全性を高めることができる。
【０１７９】
なお、支持装置２で本体３を支持してもよい。例えば、支持装置２で集塵部１１またはハンドル１０を支持してもよい。例えば、集塵部１１の上端部と同等高さ、もしくは上端部よりも上側で本体３を保持してもよい。また、例えば、バッテリ部１３の下端部より上側で本体３を保持してもよい。好ましくは、支持装置２で集塵部１１の底部またはハンドル１０の前部を支持すればよい。ハンドル１０の前部が底部を有する場合、当該底部を支持すればよい。例えば、支持体７の後部または上部に支持部を有し、当該支持部で本体３を保持すればよい。換言すると、支持体７の真上に支持部を有し、本体３を保持してもよい。これにより、管体４に加えて本体３の少なくとも一部を支持することで、掃除機システムの安定性を高めることができる。管体４を取り外された本体３のみを支持装置２で支持することができ、掃除機システムの汎用性を広げることができる。また、高い位置を保持することで、掃除機１が支持装置２から外れにくくなる。また、バッテリ等の重量物より、上側を把持することにより、支持装置２から外れにくくなる。例えば、吸込具５の回転軸Ｘを支点に掃除機１を取り外す際は、同じ力で掃除機１を把持した場合でも、上側を把持した方が、掃除機システムの安定性を高めることができる。このため、上述した高さで本体３を保持することが好ましい。その結果、掃除機システム使い勝手を良くすることができる。
【０１８０】
また、支持装置２は、集塵部１１の底部を支持してもよい。例えば、本体３と管体４とが接続した状態で支持装置２に接続された場合、集塵部１１は、保持体８からわずかに浮いた状態であってもよい。例えば、本体３が管体４との接続を解放された状態では、支持装置２は、本体３の重心の真下を支持してもよい。換言すると、本体３が管体４との接続が解放された状態では、集塵部１１の底部が支持装置２に支持されていてもよい。好ましくは保持体８の上面で支持する。但し、本体３の重心の真下を直接的に支持していなくてもよい。例えば、円弧上に支持し、円弧の内側に上面視における重心があればよい。例えば、３点以上で支持し、各々の点を結んだ角形の内側に上面視における重心があればよい。これにより、重心が、支持された領域内に配置されるため、転倒しない。また、本体３を支持装置２に設置した際の安定性を高めることができ、使い勝手が良い。
【０１８１】
また、掃除機１は、支持装置２に支持されている状態から後方に移動することで支持装置２から外れる。このため、掃除機１を上方に持ち上げることなく、掃除機１を支持装置２から外すことができ、掃除機１の使い勝手をよくすることができる。
【０１８２】
また、掃除機１は、支持装置に支持されている状態から吸込具５の回転軸Ｘを中心に後方に回転することで支持装置２から外れる。このため、掃除機１を上方に持ち上げることなく、掃除機１を支持装置２から外すことができ、掃除機１の使い勝手をよくすることができる。
【０１８３】
また、保持体８は、管体４が本体３から取り外された状態で管体４を保持している際に本体３が特定の方向に移動することで、本体３が支持装置２に支持され、かつ本体３と管体４とが接続される。ここでいう特定の方向とは例えば下方向である。このため、例えば、ハンディ型掃除機として本体３を使用して掃除した後、本体３を支持装置２に支持させれば、本体３は管体４と接続される。このため、本体と管体４とを接続する手間が省け、掃除機１の使い勝手をよくすることができる。
【０１８４】
なお、保持体８は、管体４と吸込具５とが接続された状態かつ吸込具５の後輪を浮かせた状態で管体４を保持する。この場合、塵埃の吸込具５への付着または吸込具５の寸法のばらつきにより吸込具５の高さが変わっても、掃除機１と支持装置２との接続がゆるくなることを抑制できる。
【０１８５】
また、支持装置２は、管体４が本体３に接続された状態と管体４が本体３との接続から解放された状態とにおいて管体４を保持する。好ましくは、保持体８が管体４を保持する。この際、管体４に吸込具５が接続されていてもいなくても、保持体８は、管体４を保持する。換言すると、支持装置２は、管体４のみを支持することができる。このため、管体４との接続から解放された状態で本体３を使用する際、管体４を支持装置２に保持した状態に維持できる。また、例えば、掃除機１で掃除をしている時に吸込具５を本体３に直接接続した場合は、外した管体４を支持装置２に支持させることができる。その結果、管体４の置き場所に支持装置２以外のスペースを必要とせず、管体４の置き場所に困らない。例えば、管体４を床に置いておく必要がない。管体４を壁に立て掛けておく必要がない。壁に立て掛けた管体４が転倒することもない。管体４を紛失することもない。
【０１８６】
また、支持装置２は、本体３との接続から解放された管体４が吸込具５に接続された状態と本体３に接続された管体４が吸込具５に接続された状態において管体４を保持する。このため、管体４との接続から解放された状態で本体３を使用する際、管体４と吸込具５とを支持装置２に保持した状態に維持できる。その結果、管体４と吸込具５との置き場所に支持装置２以外のスペースを必要とせず、管体４と吸込具５の置き場所に困らない。例えば、管体４と吸込具５とを床に置いておく必要がない。管体４と吸込具５とを壁に立て掛けておく必要がない。壁に立て掛けた管体４が転倒することもない。管体４と吸込具５とを紛失することもない。
【０１８７】
また、支持装置２は、吸込具５と本体３の接続状態に依らずに管体４の姿勢を同等にして管体４を保持する。このため、管体４を紛失することもない。また、支持装置２においては、吸込具５と本体３の接続状態に依らずに、掃除機１を支持するために必要な床面積は変わらない。
【０１８８】
また、支持装置２は、本体３との接続から解放された管体４の着脱方向を横方向にして管体４を保持する。このため、重力に抗う方向に管体４を持ち上げることなく、管体４と保持体８とを容易に着脱できる。管体４に重量物が配置される本体３が接続された状態において、特に効果が発揮される。この際、管体４に接続された吸込具５を底板５８に接触させた状態で、特定の横方向に移動させれば、さらに重量感を感じずに管体４と保持体８とを着脱することができる。
【０１８９】
また、支持装置２が本体３との接続から解放された管体４を保持している状態において本体３を支持した際、管体４が本体３に接続される。換言すると、本体３が上方から支持装置２に接近することにより、本体３が支持装置２に支持され、かつ支持装置２に支持されている管体４に本体３が接続される。例えば、本体３が下方に移動すると、本体３が支持装置２に支持される。この際、管体４が本体に接続される。このため、ハンディ型掃除機として本体３を使用して清掃した後に本体３が支持装置２に支持される際、管体４と本体３との接続および本体３の支持装置２への支持を同時に行うことができる。
【０１９０】
また、保持体８および管体４の少なくとも一つは、管体４が下方に移動することを規制する。例えば、管体４は、左側第１規制部４５ａと右側第１規制部４５ｂとを備える。このため、管体４の保持力が弱い場合でも、管体４が下方にずれることを抑制できる。例えば、本体３と管体４とが接続された状態でも、管体４が下方にずれることを抑制できる。その結果、本体３と管体４との接続および管体４と保持体８との着脱を確実に行うことができる。
【０１９１】
また、保持体８が管体４を保持した状態で、保持体８および管体４の少なくとも一つは、管体４が上方向に移動することを規制する。例えば、管体４は、左側第２規制部４６ａと右側第２規制部４６ｂとを備える。この際、保持体８は、管体４の着脱方向を横方向にして管体４を保持する。管体４と本体３が接続された状態において本体３が上方に移動した場合、左側第２規制部４６ａと右側第２規制部４６ｂとは、管体４の上方向への移動を規制する。その結果、本体３だけが上方向に移動し、本体３は、管体４から取り外される。このため、本体３の移動方向取り外し方向を変えることで、本体３のみの清掃と本体３と管体４を接続した状態での清掃を選択できる。
【０１９２】
また、保持体８は、管体４を保持した状態において管体４が上方に移動した場合に、管体４のラッチ４２ａの位置を変えることで管体４と本体３との接続を解放する。管体４がさらに上方に移動した場合に管体の上方の移動は規制される。この場合、ラッチ部３８が設けられる場合でも、管体４と本体３とを容易に着脱できる。例えば、使用者がハンドル１０を持った状態で本体３を上方向に移動させれば、管体４が支持装置２に保持された状態において、本体３が支持装置２から取り外される。このため、本体３の移動方向取り外し方向を変えることで、本体３のみの清掃と本体３と管体４を接続した状態での清掃を選択できる。
【０１９３】
また、保持体８は、本体３を保持した場合に本体３のバッテリに電力を供給する。このため、吸込具５と管体４とのメンテナンスの際に、本体３が支持装置２にされた状態にしておけば、余分なスペースを必要とせずに、本体３のバッテリを充電できる。
【０１９４】
また、保持体８は、支持体７よりも後方において管体４の前部を保持する。この場合、掃除機１と支持装置２との着脱時と掃除機１での清掃時とで管体４の後方が使用者に向く。このため、掃除機１と支持装置２との着脱時と掃除機１での清掃時とで掃除機１の向きを変える必要がない。
【０１９５】
なお、保持部が管体４を保持する保持力を十分に備えていれば、規制部を設けなくてもよい。また、吸込具５と管体４とが接続された状態で、吸込具５が底板５８に支持される形態であれば、保持部の保持力は、強くなくてもよい。例えば、吸込具５の底部が底板５８と平行な状態で吸込具５が支持されれば、規制部がなくても、本体３と管体４とが接続された状態でも、管体４は下方に滑り落ちることはなく姿勢を維持できる。
【０１９６】
また、保持体８でパイプ部３６を保持してもよい。
【０１９７】
また、リリース角度は、支持装置２の転倒角度と、掃除機１が支持装置２に支持された状態の転倒角度との間に設定される。換言すると、基体６を支点に後方に傾斜させた状態において支持装置２に支持された掃除機１が支持装置２から外れる角度は、基体６を支点に後方に傾斜させた状態かつ掃除機１が支持装置２に支持された状態において、掃除機１を支持した支持装置２が転倒する角度と、基体６を支点に後方に傾斜させた状態において掃除機１が取り外された状態の支持装置２が転倒する角度と、の間である。これにより、不用意に掃除機１が支持装置２から外れにくく、かつ、掃除機１が支持装置２から外れにくいということがなく、使い勝手がよい。
【０１９８】
また、水平方向に本体３を支持装置２から取り外すために必要な力は、水平方向に本体３を支持装置２に支持させるために必要な力より、大きくても良い。また、水平方向に掃除機１を支持装置２から取り外すために必要な力は、水平方向に掃除機１を支持装置２に支持させるために必要な力より、大きくても良い。これにより、不用意に外れにくくなり、安定性を向上させることができる。
【０１９９】
また、掃除機１が支持装置２に支持された状態で、後方に向けて本体３に作用し、掃除機１を支持装置２から外すために必要な力は、後方に向けて本体３に作用し、掃除機１が支持装置２に支持された状態で転倒する際に必要な力より小さい。これにより、掃除機１を支持装置２から取り外そうとした際に、支持装置２から掃除機１が容易に外れる。掃除機１が支持装置２から外れずに、掃除機１と支持装置２一体の転倒角度に至るまで傾斜するということがない。
【０２００】
また、掃除機１を支持装置２に設置した状態で、後方に向けてハンドル１０に作用し、掃除機１を支持装置２から外すために必要な力は、後方に向けてハンドル１０に作用し、基体６を支点に後方に傾斜させた状態で、転倒し得る、掃除機１と支持装置２一体の転倒角度、に達するために必要な力より小さい。換言すると、掃除機１が支持装置２に支持された状態において、後方に向けてハンドル１０に作用し、掃除機１を支持装置２から外すために必要な力は、後方に向けてハンドル１０に作用し、基体６を支点に後方に傾斜させた状態かつ、掃除機１が支持装置２に支持された状態において、掃除機１を支持した支持装置２が転倒する角度に達するために必要な力より小さい。これにより、掃除機１を支持装置２から取り外そうとした際に、支持装置２から掃除機１が容易に外れる。掃除機１が支持装置２から外れずに、掃除機１と支持装置２一体の転倒角度に至るまで傾斜するということがない。例えば、ハンドル１０を把持した状態で後方に力を加えた際に掃除機１が支持装置２から外れずに、掃除機１と支持装置２一体の転倒角度に至るまで傾斜するということがない。
【０２０１】
また、掃除機１の後方が掃除機１の前方よりも支持体７に近い位置に配置されても、保持体８で管体４を保持すればよい。例えば、管体４の後方が管体４の前方よりも支持体７に近い位置に配置されても、保持体８で管体４を保持すればよい。これらの場合でも、掃除機１を支持装置２に対して着脱できる。管体４のみを支持装置２に対して着脱できる。支持装置２に支持された管体４に本体３を接続できる。
【０２０２】
また、ラッチ部３８は、本体３に設けられていてもよい。また、ラッチ部５５は、管体４に設けられていてもよい。但し、管体４には、ラッチ部３８またはラッチ部５５のいずれか一つが設けられる。この結果、本体３に吸込具５が接続された場合に、嵌合及び接続が可能である。
【０２０３】
また、解除部６７は、管体４が支持装置２に設置された状態で、ボタン部４３ａを押した状態であってもよい。換言すると、管体４が支持装置２に設置された状態で、ラッチ４２ａは第２位置に配置された状態であってもよい。換言すると、本体３が接続された管体４が支持装置２に支持されている状態においても、ラッチ４２ａは、第２位置に配置された状態であってもよい。この結果、本体３を上方に移動する際の摩擦および抵抗が少なく、本体３が管体４から外れやすくなり、さらに容易に取外しが可能である。
【０２０４】
また、ボタン部４３ａの幅は、解除部６７の幅より大きい。これにより、製造ばらつきまたは接続時の左右ずれがある場合でも、ボタン部４３ａに解除部６７が確実に接触する。また、使用者が本体３と管体４との接続を解除する際にボタン部４３ａを押しやすい。
【０２０５】
また、支持装置２が充電機能を備えていなくても、支持体７で掃除機１を支持することができる。
【０２０６】
また、接続管部１４以外の場所に本体側充電端子部を設けてもよい。例えば、ハンドル１０等、支持装置２の支持装置側充電端子部に接触する場所に本体側充電端子部を設ければよい。特に、支持装置側充電端子部が弾性部材の弾性力により本体側充電端子部に接触する場合または支持装置側充電端子部が重力方向に本体側充電端子部に接触する場合は、接触不良を抑制できる。
【０２０７】
また、ハンドル１０の上方に構造物がなければ、ハンドル１０は、掃除機１の最上部に配置されていなくてもよい。例えば、ハンドル１０より上方かつ前方または上方かつ後方に集塵部１１と電動送風機１６とバッテリとを配置してもよい。例えば、ハンドル１０の前端部と後端部に集塵部１１と電動送風機１６とバッテリとを配置してもよい。この場合、ハンドル１０を上方から持つ行為を阻害する構造物がない。このため、使用者は、ハンドル１０を容易に持つことができる。
【０２０８】
また、本体３を先に支持装置２に支持させてもよい。例えば、ハンドル１０の底部または集塵部１１の底部を支持装置２に接触させた状態において、掃除機１をスライドさせながら、管体４と保持部との距離を近づければ、掃除機１を支持体７に支持させることができる。
【０２０９】
また、図示されない給電手段にプラグを介してバッテリを充電してもよい。例えば、プラグを支持装置２に接続し、端子を介して本体３に接続してもよい。この場合でも、バッテリを充電できる。
【０２１０】
また、プラグを本体３に接続することで、商用電源から給電し、バッテリを充電してもよい。好ましくは、プラグと当該プラグとが接続されたコードが支持装置２に設置できればよい。
【０２１１】
また、集塵部１１は、実施の形態のような遠心力が作用する集塵方式に限定されない。例えば、紙パック式であってもよく、フィルタを主として塵埃を集塵する方式であってもよい。
【０２１２】
実施の形態２．
図４５は実施の形態２における掃除機システムの掃除機の本体の第１例の側面図である。なお、実施の形態１と同一または相当部分には、同一符号が付される。当該部分の説明は省略される。
【０２１３】
図４５に示されるように、ハンドル１０の前部は、上端部から前方にわたって形成される。ハンドル１０の後部は、上端部から後方にわたって形成される。ハンドル１０の前端部は、本体３の前端部と同等の位置に配置される。ハンドル１０の把持部は、図４５においては図示されない支持装置２の上端部から本体３の側に向かって形成される。
【０２１４】
次に、図４６を用いて、本体３の第２例を説明する。
図４６は実施の形態２における掃除機システムの掃除機の本体の第２例の側面図である。
【０２１５】
図４６に示されるように、ハンドル１０の前部は、上端部から前方にわたって形成される。ハンドル１０の後部は、上端部から後方にわたって形成される。ハンドル１０の前端部は、本体３の外郭に接続される。ハンドル１０の後端部は、本体３の外郭に接続されない。
【０２１６】
次に、図４７を用いて、本体３の第２例を説明する。
図４７は実施の形態２における掃除機システムの掃除機の本体の第３例の側面図である。
【０２１７】
図４７に示されるように、ハンドル１０の前部は、上端部から前方に向かうにつれて低くなるように傾斜する。ハンドル１０の前部は、上端部から前方に向かうにつれて低くなるように湾曲することもある。ハンドル１０の後部は、上端部から後方に向かうにつれて低くなるように傾斜する。ハンドル１０の後方は、上端部から後方に向かうにつれて低くなるように湾曲することもある。ハンドル１０の前端部は、本体３の外郭に接続されない。ハンドル１０の後端部は、本体３の外郭に接続される。
【０２１８】
以上で説明した実施の形態２によれば、様々なハンドル１０が提供される。
【０２１９】
例えば、図４５において、ハンドル１０は、支持装置２の上端部から本体３の側に向かって形成される。この場合でも、ハンドル１０を把持すれば、掃除機１の安定性を向上させることができる。
【０２２０】
例えば、図４６において、ハンドル１０の前端部は、本体３の外郭に接続される。ハンドル１０の後端部は、本体３の外郭に接続されない。この場合、使用者は、ハンドル１０の上方または前方を持って容易に清掃できる。また、使用者は、ハンドル１０の後方を持って本体３を支持装置２に容易に着脱できる。使用者は、ハンドル１０の後方を持って本体３を支持装置２から外した後に持ち手をスライドさせてハンドル１０の上部または前部を持って掃除する。このように、片手のみでハンドル１０の持つ位置を変更できる。このため、第２のハンドル等を必要としない。
【０２２１】
また、図４７において、ハンドル１０の前端部は、本体３の外郭に接続されない。ハンドル１０の後端部は、本体３の外郭に接続される。この場合、使用者は、ハンドル１０の上端部から前方かつ下方を持って容易に清掃できる。使用者は、ハンドル１０の後方を持って本体３を支持装置２に容易に着脱できる。
【０２２２】
実施の形態３．
図４８は実施の形態３における掃除機システムの側面図である。なお、実施の形態１と同一または相当部分には、同一符号が付される。当該部分の説明は省略される。
【０２２３】
図４８に示されるように、吸込具５の少なくとも一部は、管体４に接続された状態で支持装置２に支持される際に底板５８に接触しない。吸込具５の底部は、底板５８に対して平行でない。
【０２２４】
例えば、保持体８は、管体４および保持体８の少なくとも一つは、図示されない規制部材を備える。保持部が管体４を保持した状態において、当該規制部材は、管体４が下方向に移動することを規制する。
【０２２５】
以上で説明した実施の形態３によれば、吸込具５の少なくとも一部は、管体４に接続された状態で支持装置２に支持される際に底板５８に接触しない。このため、吸込具５に位置決めの要素がなくてもよい。
【０２２６】
なお、保持体８は、管体４と吸込具５とが接続された状態かつ吸込具５の複数の車輪の少なくとも１つを浮かせた状態で管体４を保持する。このため、塵埃の吸込具５への付着または吸込具５の寸法のばらつきにより吸込具５の高さが変わっても、掃除機１と支持装置２との接続がゆるくなることを抑制できる。
【符号の説明】
【０２２７】
１  掃除機、  ２  支持装置、  ３  本体、  ４  管体、  ５  吸込具、  ６  基体、  ７  支持体、  ８  保持体、  ９  外郭部、  １０  ハンドル、  １１  集塵部、  １２  ケース部、  １３  バッテリ部、  １４  接続管部、  １５  排気部、  １６  電動送風機、  １７  制御部、  １８  凸部、  １９  嵌合部、  ２０  空間、  ２１  操作部、  ２２  サイクロン分離装置、  ２３  フィルタ部、  ２４  流入部ケース、  ２５  案内部、  ２６  旋回部、  ２７  排出部、  ２８  集塵容器、  ２９  隔壁部、  ３０  流入口、  ３１  第１開口、  ３２  第２開口、  ３３  窪み部、  ３４  第１集塵室、  ３５  第２集塵室、  ３６  パイプ部、  ３７  カバーパイプ、  ３８  ラッチ部、  ３９  端子部、  ４０  パイプ、  ４１  嵌合部、  ４２ａ  ラッチ、  ４２ｂ  カバーラッチ、  ４３ａ  ボタン部、  ４３ｂ  ラッチ先端部、  ４３ｃ  バネ、  ４４ａ  左側凹部、  ４４ｂ  右側凹部、  ４５ａ  左側第１規制部、  ４５ｂ  右側第１規制部、  ４６ａ  左側第２規制部、  ４６ｂ  右側第２規制部、  ４７  吸込口体、  ４８  連結部、  ４９  前車輪、  ５０  後車輪、  ５１  吸込口、  ５２  回転ブラシ、  ５３  安全スイッチ、  ５３ａ  ホイール、  ５４  端子部、  ５５  ラッチ部、  ５６  ラッチ、  ５７  カバーラッチ、  ５８  底板、  ５９  固定部、  ６０  側壁、  ６０ａ  側壁、  ６０ｂ  側壁、  ６０ｃ  側壁、  ６１  スロープ部、  ６２  制御部、  ６３  板金部材、  ６４  保持ケース、  ６４ａ  内壁、  ６４ｂ  内壁、  ６４ｃ  内壁、  ６５  管体保持部、  ６６  本体保持部、  ６７  解除部、  ６８ａ  左側保持部、  ６８ｂ  右側保持部、  ６９  バネ、  ７０ａ  左側軸部、  ７０ｂ  右側軸部、  ７１ａ  左側保持部、  ７１ｂ  右側保持部、  ７２  バネ、  ７３ａ  左側軸部、  ７３ｂ  右側軸部、  ７４ａ  左側支持装置側充電端子部、  ７４ｂ  右側支持装置側充電端子部
【図１】
2019162232.tif 000003
【図２】
2019162232.tif 000004
【図３】
2019162232.tif 000005
【図４】
2019162232.tif 000006
【図５】
2019162232.tif 000007
【図６】
2019162232.tif 000008
【図７】
2019162232.tif 000009
【図８】
2019162232.tif 000010
【図９】
2019162232.tif 000011
【図１０】
2019162232.tif 000012
【図１１】
2019162232.tif 000013
【図１２】
2019162232.tif 000014
【図１３】
2019162232.tif 000015
【図１４】
2019162232.tif 000016
【図１５】
2019162232.tif 000017
【図１６】
2019162232.tif 000018
【図１７】
2019162232.tif 000019
【図１８】
2019162232.tif 000020
【図１９】
2019162232.tif 000021
【図２０】
2019162232.tif 000022
【図２１】
2019162232.tif 000023
【図２２】
2019162232.tif 000024
【図２３】
2019162232.tif 000025
【図２４】
2019162232.tif 000026
【図２５】
2019162232.tif 000027
【図２６】
2019162232.tif 000028
【図２７】
2019162232.tif 000029
【図２８】
2019162232.tif 000030
【図２９】
2019162232.tif 000031
【図３０】
2019162232.tif 000032
【図３１】
2019162232.tif 000033
【図３２】
2019162232.tif 000034
【図３３】
2019162232.tif 000035
【図３４】
2019162232.tif 000036
【図３５】
2019162232.tif 000037
【図３６】
2019162232.tif 000038
【図３７】
2019162232.tif 000039
【図３８】
2019162232.tif 000040
【図３９】
2019162232.tif 000041
【図４０】
2019162232.tif 000042
【図４１】
2019162232.tif 000043
【図４２】
2019162232.tif 000044
【図４３】
2019162232.tif 000045
【図４４】
2019162232.tif 000046
【図４５】
2019162232.tif 000047
【図４６】
2019162232.tif 000048
【図４７】
2019162232.tif 000049
【図４８】
2019162232.tif 000050